(57)【要約】      （修正有）【課題】遊技者が景品獲得ゲーム装置に直接乗車し操縦することで、乗車型遊具に乗り操縦を楽しむという要素と、景品収納部内に配置された景品を自らの手で操作釦を操作することで獲得するという、これまで別々であった２つの要素を同時に楽しむことができる景品獲得ゲームを提供する。【解決手段】遊技者が景品獲得ゲーム装置上に配した乗車部１６に乗車し、操作釦１８ａ、１８ｂを操作することで、乗車部１６と一体となったフレーム部１２が右側に移動する。その後の釦操作で、フレーム１２上を景品把持部１１が前方に移動し、目的の景品上に把持部１１が到達すると、把持部１１が自動的に降下し、景品を把持する。その後は、自動的に最初の位置まで移動し、景品を排出する。【選択図】図１
0003176398.tif 000002
【実用新案登録請求の範囲】
【請求項１】
遊技者が乗車し操縦する乗車部と、その乗車部と一体となったフレーム部とその乗車部とフレーム部を駆動させるための駆動部と駆動部が走行するレール部と景品を把持する景品把持部とその景品把持部を前後、上下移動させるクレーン機構部と乗車部、クレーン機構部及び景品把持部の動作を制御する制御部とを備えた景品獲得ゲーム装置。
【考案の詳細な説明】
【技術分野】
【０００１】  本考案は、遊技者が景品獲得ゲーム装置の操縦席に乗車し操作釦を操作することで、景品収納部内に配置された景品を景品受けへ排出する景品獲得ゲーム装置に関するものである。
【背景技術】
【０００２】  今日、ゲームセンター等の遊技施設に設置してある景品獲得ゲーム装置は、たとえば、特許文献１に記載されたようなクレーン遊技装置が設置されることが多い。【０００３】  この一般的なクレーン遊技装置においては、遊技者がクレーン遊技装置の全面に立ち、その操作部の操作釦を操作することにより、景品収納部内に置かれた景品に対してクレーン駆動機構を動作させて景品把持部が目的とする景品の真上に到着したとき操作釦の操作を停止させる。【０００４】  その後、景品把持部は自動的に降下し、景品収納部の底面に到着し、景品把持部が閉じて降下位置にある景品を把持すると景品獲得成功となる。【０００５】  景品獲得後、景品把持部は景品を把持したまま上昇して景品排出口の上方に移動した後、景品把持部を開いて景品を景品排出口へと落とし、この景品排出口に連通された景品受取口から景品が払いだされる。【０００６】  また、近年では、一般的なクレーン遊技装置から、ゲーム性を高めるために、さまざまな景品獲得ゲーム装置が提案されている。
【先行技術文献】
【特許文献】
【０００７】
【特許文献１】  実用新案登録  第３１６７５７２号  公報
【考案の概要】
【考案が解決しようとする課題】
【０００８】  しかしながら、どの景品獲得ゲーム装置も遊技者は、ゲーム装置に向かってただ単に操作釦を操作し景品を獲得するだけである。確かに、景品獲得ゲーム装置を利用する遊技者の本来の目的は、景品獲得であるため、このように遊技者がゲーム装置に向かい操作釦を操作することは、何ら問題はない。【０００９】  しかし、今日、ショッピングセンター等に併設されたゲームセンター等では、子供たちが実際に乗車し操縦してて楽しめる遊具にも人気がある。固定された自動車型の遊具も、音や映像を加え子供たちの興味を引くよう工夫されている。また、実際に軌道を走る列車や実際に走行する乗用車型の遊具も少なくない。【００１０】  これらの遊具は、家庭ゲーム機に慣れ親しんでいる子供たちにとっては、ゲーム的要素がない。【００１１】  本考案は、上記課題に鑑みてなされたものであり、子供たちが実際に乗車し操作して楽しめるという遊具と自分自身の意思で景品を獲得するというゲームの要素を取り入れた景品獲得ゲーム装置を提供することを目的とする。
【課題を解決するための手段】
【００１２】  上記目的を達成するために、本考案において、遊技者が乗車し操縦する乗車部と、その乗車部と一体となったフレーム部、その乗車部とフレーム部を駆動させるための駆動部、駆動部が走行するレール部、景品を把持する景品把持部とその把持部を前後、上下移動させるクレーン機構部、それらの各部分の動作を制御する制御部を備えた景品獲得ゲーム装置の構造とする。【００１３】  遊技者が乗車する乗車部の前面には、乗車部の左右方向（Ｘ１、Ｘ２方向）の移動とクレーン機構部の前後方向（Ｙ１，Ｙ２方向）の移動のための操作釦がある。【００１４】  クレーン機構部は、遊技者の乗車部と一体となったフレーム上をレールとし、景品把持部を前後、上下方向（Ｚ１、Ｚ２方向）に移動させる機構を備えた台車からなる。【００１５】  制御部は、乗車部、クレーン機構部、景品把持部の移動範囲の制限と前記各部の駆動を制御する。【００１６】  この結果、この景品獲得ゲーム装置では、前記乗車部に遊技者が乗車しているため、景品把持部を景品収納部に配置された景品の真上に移動するとき、前記景品把持部とともに遊技者も移動することができる。
【考案の効果】
【００１７】  本考案に係る景品獲得ゲーム装置によれば、小さな子どもたちが乗車型遊具に乗り操縦して楽しむという要素と、景品収納部内に配置された景品を自らの手で操作釦を操作することで獲得できるという、これまで別々であった２つの要素を同時に楽しむことができる。
【図面の簡単な説明】
【００１８】
【図１】  本考案の実施例である景品獲得ゲーム装置の斜視図である。
【図２】  本考案の実施例である景品獲得ゲーム装置のクレーン機構部および乗車部の移動制限のためのリミットスイッチの平面図である。
【図３】  （ａ）は乗車部の左方向（Ｘ１方向）のリミットスイッチ、（ｂ）はクレーン機構部前進方向（Ｙ２方向）のリミットスイッチ、（ｃ）は景品把持部の上下方向（Ｚ１、Ｚ２方向）のリミットスイッチの斜視図である。
【考案を実施するための形態】
【００１９】  以下、本考案を実施するための形態について図面を参照して説明する。
【実施例１】
【００２０】  本考案の実施例では、遊技者の釦操作に基づいて、景品収納部内に配置された景品を景品収納部外へ排出する景品獲得ゲーム装置を例に挙げて説明する。【００２１】〈景品獲得ゲーム装置の構成〉
図１は、本考案の実施例である景品獲得ゲーム装置の斜視図である。【００２２】  図１に示すように、景品獲得ゲーム装置は、床面に置かれた景品収納部１０と、この景品収納部１０の上部に設けられた景品把持部１１と、この景品把持部１１を景品収納部１０上で所望の位置に移動させる操作釦１８ａと１８ｂを配置した操作部１５と、遊技者が乗車する乗車部１６と、それと一体となすフレーム部１２と、景品把持部１１を前後および上下させる機構を備えたクレーン機構部１３と、フレーム部１２が移動するレール部１４とを備えている。【００２３】  フレーム部１２は、遊技者の乗車する乗車部１６と一体となっており、乗車部１６の下部には、レール部１４上を、フレーム１２および乗車部１６を左右方向（Ｘ１、Ｘ２方向）に移動させるためのＤＣモータによる駆動機構が設けられている。【００２４】  クレーン機構部１３の内部には、フレーム部１２上を前後方向（Ｙ１，Ｙ２方向）に移動するためのＤＣモータによる駆動機構が設けられ、さらに、景品把持部１１を上下方向（Ｚ１，Ｚ２方向）に移動するための駆動機構が設けられている。【００２５】  乗車部１６の下部には、乗車部１６、クレーン機構部１３、景品把持部１１のそれぞれの移動と景品把持部のアームの開閉、そしてこれらの移動を制限するためのリミットスイッチ１９ａ１、１９ａ２、１９ｂ１、１９ｂ２、１９ｃ１、１９ｃ２を制御するための制御部１７が設けられている。【００２６】  乗車部１６の前面には、乗車部１６を右方向（Ｘ２方向）に移動させるための操作釦１８ａと、クレーン機構部１３を前進方向（Ｙ２方向）に移動させるための操作釦１８ｂを備えた操作部１５を設けてある。【００２７】  最初に、遊技者は、乗車部１６の座席に腰掛け、操作部１５にある操作釦１８ａを押すと、押している間乗車部１６は乗車部１６と一体となったフレーム部１２とともに右方向（Ｘ２方向）に移動する。遊技者は、景品把持部１１が遊技者から見て目的とする景品の直線上に来たときに操作釦１８ａを離すと、乗車部１６は停止する。その後続けて操作釦１８ａを押しても乗車部１６は移動しない。また、操作釦１８ａを押し続け、移動制限を超えるとリミットスイッチ１９ａ２が働き、乗車部１６は停止する。この場合も操作釦１８ａを押しても乗車部１６は動かない。【００２８】  乗車部１６が停止した後、次に遊技者が、操作部１５にある操作釦１８ｂを押すと、押している間クレーン機構部１３が前進方向（Ｙ２方向）に移動する。遊技者はクレーン機構部１３にある景品把持部１１が、景品収納部１０内の目的の景品の真上に到達したら操作釦１８ｂを離すとクレーン機構部１３は停止する。その後続けて操作釦１８ｂを押してもクレーン機構１３は移動しない。また、操作釦１８ｂを押し続け、移動制限を超えるとリミットスイッチ１９ｂ２が働きクレーン機構部１３は停止する。この場合も操作釦１８ｂを押してもクレーン機構部１３は動かない。【００２９】  遊技者が、操作釦１８ｂを離すと、その後は自動的に、景品把持部１１が景品収納部１０内の景品に向けて下降（Ｚ１方向）を始め、景品把持部１１が景品収納部１０の床面に達するとクレーン機構内にあるリミットスイッチ１９ｃ１を押し景品��持部１１は停止し、続いて景品把持部１１のアームが閉じ景品を把持する。【００３０】  景品把持部１１のアームが景品を把持すると景品把持部１１は上昇（Ｚ２方向）し、クレーン機構部１３に取り付けられたリミットスイッチ１９ｃ２を押し所定の位置に停止する。【００３１】  景品把持部１１が上昇（Ｚ２方向）を終えて停止すると、クレーン機構部１３は、フレーム部１２上を遊技者方向（Ｙ１方向）に向かって移動し、フレーム１２の端に取り付けられたリミットスイッチ１９ｂ１を押し停止する。【００３２】  クレーン機構１３が停止後、フレーム部１２と一体となった乗車部１６は、左方向（Ｘ１方向）に移動し、乗車部１６の下部に取り付けられたリミットスイッチ１９ａ１が押されると停止する。【００３３】  乗車部１６が停止すると、景品把持部１１のアームが開き、遊技者が景品を獲得し、すべての動作を終了する。
【符号の説明】
【００３４】１０…景品収納部
１１…景品把持部
１２…フレーム部
１３…クレーン機構部
１４…レール部
１５…操作部
１６…乗車部
１７…制御部
１８ａ…乗車部右方向（Ｘ２方向）移動用操作釦
１８ｂ…クレーン機構部前進方向（Ｙ２方向）移動用操作釦
１９ａ１…乗車部左移動方向（Ｘ１方向）リミットスイッチ
１９ａ２…乗車部右移動方向（Ｘ２方向）リミットスイッチ
１９ｂ１…クレーン機構後進方向（Ｙ１方向）リミットスイッチ
１９ｂ２…クレーン機構前進方向（Ｙ２方向）リミットスイッチ
１９ｃ１…把持部下降方向（Ｚ１方向）リミットスイッチ
１９ｃ２…把持部上昇方向（Ｚ２方向）リミットスイッチ
２０…駆動部
【図１】
0003176398.tif 000003
【図２】
0003176398.tif 000004
【図３】
0003176398.tif 000005